(57)【特許請求の範囲】
【請求項１】
筒状の外側取付部材と、振動発生部及び振動受部のいずれか一方に連結される内側取付部材と、前記外側取付部材及び前記内側取付部材を弾性的に連結する弾性体と、を有し、
前記外側取付部材は、前記振動発生部及び前記振動受部のいずれか他方に連結されるブラケットの保持部によって前記外側取付部材の軸方向の両外側から挟み込まれた状態で保持される、一対の固定部を有し、当該固定部は、互いに前記軸直方向に並行して延在しており、
前記一対の固定部の少なくとも一方は、前記軸方向に対して垂直な軸直方向外側を向く面に、ストッパ部を備えていることを特徴とする、防振装置。
【請求項２】
請求項１において、前記ストッパ部は、前記固定部の延在方向に沿って、当該固定部からの突出量が変化するテーパ状に形成されている、防振装置。
【請求項３】
請求項１又は２に記載の防振装置と、前記防振装置を保持する保持部を有して前記振動発生部及び前記振動受部のいずれか他方に連結されるブラケットと、を有することを特徴とする防振ユニット。
【発明の詳細な説明】
【技術分野】
【０００１】
本発明は、防振装置および防振ユニットに関する。
【背景技術】
【０００２】
従来の防振ユニット（防振装置）には、外側取付部材と内側取付部材とを弾性体で連結した防振装置（防振本体）をブラケット（第２のブラケット）の下側から挿入して保持したものがある（例えば、特許文献１参照）。
【先行技術文献】
【特許文献】
【０００３】
【特許文献１】特開２０１３−１１７２５９号公報
【発明の概要】
【発明が解決しようとする課題】
【０００４】
その一方で近年、防振装置をブラケットの側面から挿入して保持する防振ユニットも提案されている。こうした防振ユニットは通常、ブラケットに保持部を設けて当該ブラケットの側面に開口させ、当該開口部から防振装置の外側取付部材から突出させた固定部を圧入することにより、ブラケットに対する防振装置の内蔵を可能にしている。この場合、防振装置の固定部をブラケットの保持部で強固に保持することを目的に、固定部と保持部との間を上下方向および横方向（幅方向）でしまりばめにすると、固定部の圧入が困難になるため、実際には、上下方向はしまりばめにする一方、横方向はすきまばめにすることが想定される。これは、上下方向は入力が激しいため、上下方向に遊びを持たせることができないためである。
【０００５】
しかしながら、例えば、上述した防振ユニットのように、防振装置の固定部とブラケットの保持部との間に横方向に遊びがあると、防振装置が横方向に滑って動き出すことで、ブラケットと衝突することにより異音等を発生させる虞がある。
【０００６】
本発明の目的は、ブラケットの側面から防振装置を挿入することにより当該防振装置を前記ブラケットで保持しつつ、衝突により生じる異音等を低減させることができる、防振装置、および、防振ユニットを提供することにある。
【課題を解決するための手段】
【０００７】
本発明に係る防振装置は、筒状の外側取付部材と、振動発生部及び振動受部のいずれか一方に連結される内側取付部材と、前記外側取付部材及び前記内側取付部材を弾性的に連結する弾性体と、を有し、前記外側取付部材は、前記振動発生部及び前記振動受部のいずれか他方に連結されるブラケットの保持部によって前記外側取付部材の軸方向の両外側から挟み込まれた状態で保持される、一対の固定部を有し、前記一対の固定部の少なくとも一方は、前記軸方向に対して垂直な軸直方向外側を向く面に、ストッパ部を備えていることを特徴とする。
本発明に係る防振装置によれば、ブラケットの側面から防振装置を挿入することにより当該防振装置を前記ブラケットで保持しつつ衝突により生じる異音等を低減させることができる。
【０００８】
本発明に係る防振装置では、前記固定部は、互いに前記軸直方向に並行して延在していることが好ましい。
この場合、防振装置を安定して固定することができる。
【０００９】
本発明に係る防振装置では、前記ストッパ部は、前記固定部の延在方向に沿って、当該固定部からの突出量が変化するテーパ状に形成されていることが好ましい。
この場合、防振装置を圧入するときにストッパ部が圧入の妨げになり難く、防振装置を容易に固定することができる。
【００１０】
本発明に係る防振ユニットは、上述した防振装置と、前記防振装置を保持する保持部を有して前記振動発生部及び前記振動受部のいずれか他方に連結されるブラケットと、を有することを特徴とする。
本発明に係る防振ユニットによれば、ブラケットの側面から防振装置を挿入することにより当該防振装置を前記ブラケットで保持しつつ、衝突により生じる異音等を低減させることができる。
【発明の効果】
【００１１】
本発明によれば、ブラケットの側面から防振装置を挿入することにより当該防振装置を前記ブラケットで保持しつつ、衝突により生じる異音等を低減させることができる、防振装置、および、防振ユニットを提供することができる。
【図面の簡単な説明】
【００１２】
【図１】本発明の一実施形態に係る防振ユニットを斜め前方向から示す斜視図である。
【図２】図１の縦断面を前方向から示す図である。
【図３】図１の分解斜視図である。
【図４】（ａ）は、図３の防振ユニットを組み付けたときの、防振装置に設けたストッパと第２ブラケットに設けた保持部との関係を概略的に示す縦断面図であり、（ｂ）は、図３の防振ユニットを組み付けたときの、防振装置に設けたストッパ部と第２ブラケットに設けた保持部との関係を概略的に示す平面図である。
【発明を実施するための形態】
【００１３】
以下、図面を参照して、本発明の一実施形態に係る防振装置および防振ユニットを詳細に説明する。
【００１４】
図１中、符号１は、本発明の一実施形態に係る防振ユニットである。防振ユニット１は、防振装置１０、振動発生部及び振動受部のいずれか一方に連結される第１ブラケット２０、および、振動発生部及び振動受部のいずれか他方に連結される第２ブラケット（ブラケット）３０を有する。
【００１５】
図２に示すように、本実施形態に係る防振装置１０は、筒状の外側取付部材１１と、第１ブラケット２０に連結される内側取付部材１２と、外側取付部材１１及び内側取付部材１２を弾性的に連結する弾性体１３と、を有する。
【００１６】
本実施形態では、防振装置１０は、外側取付部材１１の軸Ｏ1が上下方向に延在するように配置されている。また、本実施形態では、内側取付部材１２は、軸Ｏ1 の方向（以下、本実施形態では、「軸方向」または「上下方向Ｙ」ともいう）に対して垂直な方向（以下、「軸直方向」ともいう）に延びる開口部を有し、当該開口部が弾性体１３を介して貫通孔を形成している。貫通孔には、第１ブラケット２０が圧入されている。これにより本実施形態では、内側取付部材１２は、弾性体１３および第１ブラケット２０を介して振動発生部及び振動受部のいずれか一方に連結されている。以下、本実施形態では、軸Ｏ1 に対して軸直な軸のうち、第１ブラケット２０の圧入方向と平行な軸を軸Ｏ2 とし、本実施形態では、軸Ｏ2 の方向を前後方向Ｘともいう。
【００１７】
本実施形態では、第１ブラケット２０は、防振装置１０に形成された前記貫通孔に圧入される基部２１と、振動発生部及び振動受部のいずれか一方に連結される取付部２２と、を有している。
【００１８】
さらに本実施形態では、防振装置１０は、外側取付部材１１の下端に、外側取付部材１１の内側に形成された開口部を閉じるダイヤフラム１４が取り付けられている。ダイヤフラム１４は、弾性を有して変形および復元が可能な部材である。また、本実施形態では、外側取付部材１１の開口部の内側に、仕切部材１５が取り付けられている。仕切部材１５は、弾性体１３との間に第１空間Ｓ1 を形成するとともに、ダイヤフラム１４との間に第２空間Ｓ2 を形成する。第１空間Ｓ1 および第２空間Ｓ2 には、シリコンオイル等の液体が充填されている。
【００１９】
仕切部材１５には、第１空間Ｓ1 に液体が充填されて形成された液室（以下、「主液室Ｓ1 」ともいう）および第２空間Ｓ2 に液体が充填されて形成された液室（以下、「副液室Ｓ2 」ともいう）の液体を流通させる、複数の流通孔１５ａおよび流通孔１５ａを取り囲むように迂回するバイパス通路（オリフィス通路）１５ｂが形成されている。また仕切部材１５には、メンブラン１６が内蔵されている。メンブラン１６は、複数の流通孔１５ａに通じる空間内に移動可能に配置されている。これにより高周波振動が、防振装置１０に入力された場合、メンブラン１６が主液室Ｓ1 または副液室Ｓ2 の液体を介して振動することで、高周波振動を吸収する。また。低周波振動が防振装置１０に入力された場合、主液室Ｓ1 および副液室Ｓ2 の間の液体がバイパス通路１５ｂを流通することで、低周波振動を吸収する。
【００２０】
本実施形態では、外側取付部材１１は、一対の固定部１７を有する。本実施形態では、固定部１７は、それぞれ、軸Ｏ1 を挟んで対向する位置に設けられている。本実施形態では、固定部１７は、外側取付部材１１から前後方向Ｘおよび上下方向Ｙに対して垂直な方向（以下、本実施形態では、「横方向Ｚ」ともいう）に突出している。また、図３に示すように、本実施形態では、固定部１７は、前後方向Ｘに延在している。詳細には、固定部１７は、図３に示すように、前後方向Ｘおよび横方向Ｚを含む平面上に延在するプレート状のフランジ部分１７ａと、上下方向Ｙに沿って延在してフランジ部分１７ａを外側取付部材１１に対して支持する張出部分１７ｂと、張出部分１７ｂと前後方向Ｘに間隔を置いて配置されているとともにフランジ部分１７ａから上下方向Ｙに沿って延在する複数の補強部分１７ｄと、を有している。
【００２１】
図２に示すように、２つの固定部１７は、それぞれ、第２ブラケット３０の保持部３１によって外側取付部材１１の軸Ｏ1 の方向の両外側（本実施形態では、図２中、上下方向Ｙの上側および下側）から挟み込まれた状態で保持されている。本実施形態では、図３に示すように、第２ブラケット３１に保持部３１を設けて当該第２ブラケット３０の側面に開口させ、当該開口部Ａから固定部１７を挿入することで、固定部１７が上下方向から挟み込まれた状態で圧入されている。詳細には、保持部３１は、軸方向を向き、軸直方向に延在している面である、２つの軸方向面３１ａ，３１ｂ、および、軸方向を向き、軸方向に延在している面である、軸直方向面３１ｃ（以下、本実施形態では、「横面３１ｃ」ともいう）によって形作られた溝で構成されており、前後方向Ｘに延在している。本実施形態では、軸方向面３１ａは、上側に配置されており、上面（以下、本実施形態では、「上面３１ａ」ともいう）を構成し、軸方向面３１ｂは、下側に配置されており、下面（以下、本実施形態では、「下面３１ｂ」ともいう）を構成している。これにより、防振装置１０の固定部１７を第２ブラケット３０の保持部３１に合わせて前後方向Ｘに移動させると、防振装置１０を第２ブラケット３０に対して圧入することができる。
【００２２】
本実施形態の防振ユニット１では、防振装置１０の固定部１７と第２ブラケット３０の保持部３１との間が上下方向にしまりばめされている。詳細には、防振装置１０を第２ブラケット３０に圧入させたとき、固定部１７のフランジ部分１７ａの上面が保持部３１の上面３１ａと接触しているとともに、固定部１７の張出部分１７ｂの下端が保持部３１の下面３１ｂと接触している。本実施形態では、固定部１７に圧入部１８を設けることで、固定部１７と保持部３１との間の上下方向Ｙでしまりばめを行っている。圧入部１８は、例えば、ゴム等の弾性材料で形成されている。本実施形態では、圧入部１８は、防振装置１０の弾性体１３と一体に形成されている。また、本実施形態では、防振装置１０を第２ブラケット３０に圧入させたとき、固定部１７のフランジ部分１７ａにおける横方向Ｚの外側を向く面１７ｃ（以下、本実施形態では、「横方向外面１７ｃ」ともいう）は、保持部３１の横面３１ｃと接触しない。
【００２３】
図３に示すように、２つの固定部１７は、それぞれ、軸Ｏ1 方向に対して垂直な軸直方向外側を向く面に、ストッパ部１９を備えている。本実施形態では、ストッパ部１９は、固定部１７の横方向外面１７ｃに設けられている。本実施形態では、横方向外面１７ｃは、前後方向Ｘに延在している。また、本実施形態では、ストッパ部１９は、横方向外面１７ｃの前後方向Ｘに延在する部分のうちの一部に設けられている。ストッパ部１９は、例えば、ゴム等の弾性材料で形成されている。本実施形態では、ストッパ部１９は、圧入部１８とともに防振装置１０の弾性体１３と一体に形成されている。
【００２４】
固定部１７の横方向外面１７ｃにストッパ部１９を設けた場合、図４（ａ）の概略図に示すように、固定部１７の圧入を容易にするため、保持部３１との間に横方向Ｚの遊び（クリアランス）を残すことなく、または、遊びを残しても、防振装置１０が第２ブラケット３０に対して横方向Ｚ（幅方向）に変位したときに、同図に示すように、ストッパ部１９が保持部３１との衝突の緩衝材となることで、衝突により生じる異音等の発生を低減することができる。
本実施形態に係る防振装置１０によれば、第２ブラケット３０の側面から防振装置１０を挿入することにより防振装置１０を第２ブラケット３０の内側で保持しつつ、防振装置１０の横方向Ｚの変位に伴う衝突により生じる異音等を低減させることができる。
【００２５】
また、防振装置１０では、固定部１７は、互いに軸直方向に並行して延在している。本実施形態では、固定部１７は、互いに前後方向Ｘに並行して延在している。
この場合、固定部１７が第２ブラケット３０の保持部３１に対して前後方向Ｘの一定の長さ分だけ、保持代を大きく確保することができるため、防振装置を第２ブラケット３０に対して安定して固定することができる。特に、固定部１７を、互いに前後方向Ｘに平行に延在させた場合には、防振装置１０の圧入をスムースに行うことができる。
【００２６】
なお、防振装置１０では、固定部１７は、それぞれ、上下方向Ｙからの平面視において、当該固定部１７の延在方向に沿って互いに接近するように形成されていてもよい。例えば、固定部１７は、それぞれ、横方向外面１７ｃが前後方向Ｘに沿って、圧入方向前側に向かうに従って互いに接近するように形成する。この場合、防振装置１０を第２ブラケット３０に対して容易に圧入することができる。
【００２７】
ところで、ストッパ部１９は、固定部１７を圧入するときに、必ずしも第２ブラケット３０の保持部３１の横面３１ｃに接触させなくても構わない。ストッパ部１９が横方向に変位しても、ストッパ部１９は、結果的に、保持部３１の横面３１ｃとの衝突の緩衝材となるためである。
【００２８】
しかしながら、第２ブラケット３０に対する防振装置１０の横方向Ｚの変位は生じないことが好ましい。
【００２９】
ストッパ部１９は、固定部１７の延在方向に沿って、当該固定部１７からの突出量が一定量で変化するテーパ状に形成されていることが好ましい。本実施形態では、ストッパ部１９は、図４（ｂ）の概略図に示すように、上下方向Ｙからの平面視において、前後方向Ｘに沿って、固定部１７からの突出量が挿入（圧入）方向（白抜き矢印の方向）に向かうに従って一定量で減少する第１テーパ状部分１９ａと、前後方向Ｘに沿って、固定部１７からの突出量が挿入（圧入）方向とは反対の方向（白抜き矢印と反対の方向）に向かうに従って一定量で増大する第２テーパ状部分１９ｂとを有している。
【００３０】
この場合、固定部１７を保持部３１に圧入するときに、ストッパ部１９は、第１テーパ状部分１９ａと第２テーパ状部分１９ｂとの間に形成された横方向最外部分１９ｃを第２ブラケット３０の保持部３１の横面３１ｃに接触させながら、容易に圧入させることができる。このように、ストッパ部１９に、少なくとも第１テーパ状部分１９ａを設ければ、固定部１７を保持部３１の横面３１ｃに接触させながら圧入するときにストッパ部１９が圧入の妨げになり難く、防振装置１０を容易に第２ブラケット３０に固定することができる。
【００３１】
特に、本実施形態のように、ストッパ部１９に第２テーパ状部分１９ｂを設ければ、ストッパ部１９全体の剛性が高まることから、横方向最外部分１９ｃの耐久性、ひいては、ストッパ部１９の耐久性を向上させることができる。
【００３２】
本実施形態に係る防振ユニット１は、少なくとも、本実施形態に係る防振装置１０と、防振装置１０を保持する保持部３１を有して前記振動発生部及び前記振動受部のいずれか他方に連結される第２ブラケット３０と、を有している。
本実施形態に係る防振ユニット１によれば、第２ブラケット３０の側面から防振装置１０を挿入することにより防振装置１０を第２ブラケット３０の内側で保持しつつ、防振装置１０の横方向Ｚの変位に伴う衝突により生じる異音等を低減させることができる。
【００３３】
上述のように、本実施形態によれば、第２ブラケット３０の側面から防振装置１０を挿入することにより防振装置１０を第２ブラケット３０で保持しつつ、衝突により生じる異音等を低減させることができる防振装置１０、および、防振ユニット１を提供することができる。
【００３４】
上述したところは、本発明の実施形態の例示であって、特許請求の範囲の記載によれば、種々の変更が可能である。例えば、本実施形態では、ストッパ部１９は、圧入部１８とともに弾性体１３と一体に設けられているが、弾性体１３、圧入部１８およびストッパ部１９はそれぞれ、別個に設け、あるいは、それぞれ組み合わせて一体に設けることができる。さらに、ストッパ部１９は、固定部１７のうち、横方向Ｚの外側を向いている面と併せて、または、単独で前後方向Ｘの圧入方向前側を向いている面に設けることもできる。
【００３５】
また、本実施形態では、防振装置１０の固定部１７に圧入部１８を設け、この圧入部１８とともに固定部１７を第２ブラケット３０の保持部３１に対して圧入したが、圧入部１８を省略して、直接固定部１７を保持部３１に対して圧入させることができる。
【００３６】
また、本実施形態では、ダイヤフラム１４を用いた液入り防振装置で説明を行ったが、ダイヤフラム１４を省略した液入り防振装置に採用することができる。さらに、本発明によれば、防振装置は、液入りに限定されない。また、本実施形態に係る防振ユニット１は、防振装置１０、第１ブラケット３０および第２ブラケット４０で構成されているが、上述のとおり、少なくとも、防振装置１０および第２ブラケット４０を有していればよい。
【００３７】
なお、図２中、防振装置１０の圧入部１８と第２ブラケット３０の保持部３１の上面３１ａとの間については、圧入部１８が保持部３１の上面３１ａに対してめり込んだように図示することで、当該圧入部１８を強調して示しているが、実際には、圧入部１８は、保持部３１の上面３１ａに対して圧縮変形しており、保持部３１の上面３１ａは平坦のままである。
【産業上の利用可能性】
【００３８】
本発明は、筒状の外側取付部材と、振動発生部及び振動受部のいずれか一方に連結される内側取付部材と、外側取付部材及び内側取付部材を弾性的に連結する弾性体と、を有する防振装置、および、前記振動発生部及び前記振動受部のいずれか他方に連結される部材の保持部によって外側取付部材の軸方向の両外側から挟み込まれた状態で保持される、防振ユニットに適用することができる。
【符号の説明】
【００３９】
１；防振ユニット，  １０；防振装置，  １１；外側取付部材，  １２；内側取付部材，  １３；弾性体，  １４；ダイヤフラム，  １５；仕切部材，  １６；メンブラン，  １７；固定部，  １７ａ；フランジ部分，  １７ｂ；張出部分，  １７ｃ；横方向外面（外側取付部材の軸方向に対して垂直な軸直方向外側を向く面），  １７ｄ；補強部分，  １８；圧入部，  １９；ストッパ部，  １９ａ；第１テーパ状部分，  １９ｂ；第２テーパ状部分，  １９ｃ；横方向最外部分，  ２０；第１ブラケット，  ３０；第２ブラケット（ブラケット），  ３１；保持部，  ３１ａ；軸方向面（上面），  ３１ｂ；軸方向面（下面），  ３１ｃ；軸直方向面（横面），  Ｏ1 ；外側取付部材の軸，  Ｏ2 ；内側取付部材の軸，  Ｘ；前後方向（軸直方向），  Ｙ；上下方向（軸方向），  Ｚ；横方向（軸直方向）
【図１】
0006479523.tif 000002
【図２】
0006479523.tif 000003
【図３】
0006479523.tif 000004
【図４】
0006479523.tif 000005